(57)【要約】      （修正有）【課題】取り外しが簡単で着脱自在に設けられる収納ケースが設けられ、螺条をもつ開口縁部の着脱により、収納ケース内に鏡、記念の写真、絵等の他、自作の俳句や座右の銘等々、好みの想い出になる作品を納めて適宜に交換を楽しみ気分の転換と心を癒す効果があるガイドミラーの提供。【解決手段】ガイドミラーの本体となる円柱形からなる円筒２には螺条を含め締付嵌合を目的とした接続部を設ける。環状枠体２２の形状からなる作品を光沢のある透明で弾力性のある樹脂製の材料からなる２枚の薄板状の間に挿入して熱癒着等の接合固定した形成品に対して接続部を設け本体接続部に嵌合保持させる。【選択図】図４
2006087894.tif 000002
【特許請求の範囲】
【請求項１】
ガイドミラーの本体となる円柱形からなる円筒には螺条を含め締付嵌合を目的とした接続部を環状に又は部分的に設けられる．
【請求項２】
ガイドミラーの円筒内部には収納ケースが設けられる．
【請求項３】
環状枠体には締付嵌合を目的とした接続部を環状に又は部分的に設ける他螺条を含めたところの請求項１に記載のガイドミラー
【請求項４】
環状枠体の形状からなる作品を光沢のある透明で弾力性のある樹脂性の材料からなる２枚の薄板状の間に挿入して熱癒着等の接合固定した形成品に対して接続部を設け嵌合保持を目的としたもの又は形成品にそのまま本体接続部に嵌合保持するものもあるところの請求項１〜３に記載のガイドミラー
【発明の詳細な説明】
【発明の詳細な説明】
【０００１】〔発明の属する技術分野〕鏡だけの使用でなく多様な用途の利用を目的に円筒型形状からなる互いの対接面に螺条を設け締付嵌合が自在にできる形状からなり内部に収納ケースが設けられている一方円筒型形状の対接面外側の円筒の内側の蓋底には一定サイズの円形の発泡スチロール等を接着しその先口に同一サイズの拡大鏡が接着されている．螺条による締付嵌合を進めると拡大鏡が奥へ進み収納ケースの片面は蓋状のその中央部より円形の中空穴が設けられていて拡大鏡がスムーズに通るよう穴の一定サイズが設けられている．これにより収納ケース内の鏡、写真等が周縁面の前面にあるストッパーと拡大鏡との間に固定され安定した維持ができる  更にガイドミラーの外輪をインテリアする環状枠体は円筒型本体と一体に嵌合でき多種のデザインが設けられ異なるデザインとの交換が簡単に自由にできる目的に構成されている．
【０００２】〔従来の技術〕従来使用されている置鏡、吊り鏡、又は額縁の写真、俳句、座右の銘等は使用目的以外は他用が不向きで別の用途に使い道ができない或る期間使用するうちに飽きてくるか又は汚れて古くなる使い道を別の物に変へる場合は一部を壌すかしないと使えない機能を損う問題がある。
【０００３】〔発明が解決しようとする課題〕本発明は従来の難点を解決し使用目的に即応できるようガイドミラーの着脱方法を考え収納ケースを造りこれを設けることにより鏡から想い出の写真に変へて見たり自作の俳句や座右の銘等に替へ気分の転換や心を癒す等に別の用途に利用できるものです更に環状枠体には接続部を設けることによりガイドミラー本体との機能性を造りこれにより別の異なるデザインの環状枠体との交換が簡単に出来ると共に美観の向上に寄与するものです。
【０００４】〔課題を解決するための手段〕円筒型の形状をした互いの対接面には着脱できる機能性を設けるため互いの対接面に形成した螺条による締付け等の方法により一体的に構成される  円筒型対接面内側本体の雄ねじからなる円筒型の内部には収納ケースが造られ設けられている．収納ケース内には鏡とガラス板の他写真、自作の俳句、座右の銘等が収納されているケース片側後面は蓋状形状で中心部より円形の一定サイズの中空穴が設けられている
【０００５】円筒型の対接面外側の雌ねじからなる円筒形状の片側は蓋状で底部を有し内部の底には一定サイズの円形をした発泡スチロール等を接着しその先口に同一サイズの拡大鏡等を接着させる．螺条による締付嵌合の際拡大鏡がスムーズに通るよう収納ケースに設けられた中空穴に進みケース内の鏡、ガラス板等が周縁面と直角にある飾り縁の突起状の縁がストッパーとして拡大鏡との間で固定され確実に安定維持を目的に構成されている．
【０００６】円筒型の対接面の取り付けは螺条による雄ねじ、雌ねじによる嵌合の他、対接面内側又は外側の一方に切り込んだ鉤型のスリットを他方に形成した水平方向に延びる突起部に係合させる方法の他、円筒型の一方の開口縁部を凸部として別の円筒型の縁に形成した周方向連続した環状の溝を有した形状により嵌合保持させる目的等がある．又茶筒のように蓋状にして開閉するものがある．
【０００７】飾り縁は対接面内側本体の雄ねじからなる円筒上の前面開口縁部に水平外方に延びる環状の幅の狭い飾り縁が設けられる．その飾り縁と一体に開口縁部に対して直角をなす突起状の縁が内周面沿いに環状に形成され飾り縁との形状と一体に形成されることにより、開口縁部と直角をなす接触面の突起状の縁がストッパーの役目を目的とする．この飾り縁は環状枠体と一体に製造加工又は取り付け方法による物もあり、円筒上の接続部で締付嵌合の他、円筒上の螺条と飾り縁の螺条による締付嵌合等がある．
【０００８】円筒上の雄ねじ側の前面開口縁部際に外周面と直角をなす凸部又はフランジ部を形成した接続部が造られ環状に又は部分的に設けられる．これにより雌ねじ側は前面開口縁部より接続部までの長さだけ寸法が短かくなる．円筒上の接続部は環状枠体の接続部との締付け嵌合が目的でその接続方法には、ねじ、螺条等による締付方法の他接着剤等又は一方が環状の溝からなる形状で他方は先端が丸みをもつ凸部を設け嵌合保持する方法がある尚、ワッシヤーの如く後から円筒上に接続部が挿入されて固定する場合もある。
【０００９】環状枠体の接続部と円筒型本体の円筒に設けた接続部とにより締付嵌合とデザインの異なる環状枠体との交換が簡単に出来る目的のものです環状枠体は家庭内インテリア向にデザインを造形し形状を円筒型本体ガイドミラーの外装に構成するものです．又環状枠体には造形を計ったデザインに接続部を設ける他、地名、人名商品名等や模様が表示され施される更に地方の特色を表わすデザインや写真・絵又イラスト的内容を厚紙に貼り飾り縁を基にした形状もある．更に他にもＩＴソフト機能を活用した方法で作成し後はコピー処理後に光沢のある透明で弾力性のある樹脂製の材料を基にして２枚の薄板間に挿入して熱癒着接合して成る形成品に対して接続部を設けて締付嵌合を目的としたものがある他、細い樹脂製を骨とし紙を貼って写真や絵又はイラスト的内容を上記加工方法で作成したものもある、飾り縁を基に形状が作成される．外輪は円形に限らず、デザインの異なる環状枠体との交換が簡単で機能性と美観の向上に寄与するものです．又環状枠体には接続部を設けず接着剤又は支柱を設けての差し込み方法による本体と枠体との結合もある更に環状枠体の外枠形状には丸い形状の他楕円形又は星、菱形等の様々な形状が飾り縁を基にして垂直外方に延びると共に接続部を有して構成さたガイドミラー
【００１０】〔発明の実施の形態〕以下において本発明の具体的な内容を図示の実施例、図１で説明するとガイドミラー本体はこの場合、樹脂製からなる材料を加工して円筒形状からなる横長の対接面内側▲１▼の雄ねじ▲３▼側と対接面外側▲２▼の雌ねじ▲４▼からなり着脱出来る機能性を設けるため互いの対接面の螺条による締付嵌合等の方法で構成されている対接面内側▲１▼の円筒上の前面開口縁部際▲５▼に接続部▲６▼が環状に設けられている．対接面外側▲２▼の雌ねじ▲４▼側は前面開口縁部▲５▼より接続部▲６▼までの長さだけ対接面外側▲２▼の寸法が短かくなる．対接面内側▲１▼に対接面外側▲２▼の雌ねじ▲４▼側により締付嵌合を進めると対接面外側▲２▼は、接続部▲６▼で止まり対接面▲２▼は締付嵌合が完了する、対接面▲２▼は蓋▲７▼の形状から成るものです．
【００１１】更に対接面内側▲１▼の円筒内部▲８▼には収納ケース▲９▼が設けられる図２収納ケースは硬質の樹脂材料からなりごく薄肉の厚さのもので外径は対接面内側▲１▼の内径に密着するよう設けられる、円筒内部▲８▼へ収納ケース▲９▼を入れるには雄ねじ▲３▼側の開口縁部より挿入する、収納ケース▲９▼内の先端開口縁部より直角に内部に少し出た縁▲１０▼が設けられケース▲９▼内の鏡、写真等のストッパーの役目をする。反対側には収納ケース▲９▼のケース蓋▲１１▼が設けられる、収納ケース内に鏡、写真等を納めたあと蓋▲１１▼の開閉をするもので蓋の中央には円形の中空穴▲１３▼が設けられる、更に対接面外側▲２▼の雌ねじ▲４▼側は蓋▲７▼の内側底部には一定サイズの円形をした発泡スチロール▲１５▼等を接着し頭に同一サイズの拡大鏡▲１４▼が接着されている．螺条による締付嵌合の際、拡大鏡▲１４▼がスムーズに通るよう収納ケース▲９▼に設けられた中空穴▲１３▼に進みケース▲９▼内の鏡、写真等と共に前面開口縁部際▲５▼に設けられた飾り縁▲１６▼の突起状の縁▲１７▼がストッパーとして収納ケース▲９▼を停めるよう構成されている．
【００１２】飾り縁▲１６▼は対接面内側▲１▼の前面開口縁部際▲５▼に設ける．図３の飾り縁▲１６▼の円筒内径▲１９▼は開口縁部際▲５▼の外径より少し大きめで挿入した箇所は密着した状態で接続部▲６▼まで入いり同時に飾り縁▲１６▼の突起状の縁▲１７▼で停まるよう構成されている．飾り縁▲１６▼と前面開口縁部▲５▼との締付嵌合には飾り縁▲１６▼の周方向における対称位置には一端を上方に開口させた鉤型のスリット１ａと１ａが形成されている、更に前面開口縁部際▲５▼には飾り縁▲１６▼の１ａと１ａに対応する位置に直角外方に延びる突起部１ｂと１ｂがそれぞれ形成されている、飾り縁▲１６▼の鉤型のスリット１ａと１ａに前面開口縁部際▲５▼の突起部１ｂと１ｂの位置に合わせて取り付ける、幾分回転することにより固定される、又反対の操作で取り外しができる、上記した構成は着脱が簡単である上記に限らず飾り縁の円筒内に螺条を形成し他方これに対応する対接面内側の開口縁部際の外径表面上に凹溝を形成し螺条を凹溝内に螺入させ相互に一体化するよう構成してもよい。ワッシヤーの如く接続部が後から挿入できる。
【００１３】ガイドミラーの外観を飾る目的の環状枠体の作成には図４の実施例の如く環状枠体▲２２▼の内周面縁部▲２３▼に固定され取り付けられた飾り縁▲１６▼が形成されている．環状枠体▲２２▼の内周面縁部▲２３▼には飾り縁▲１６▼が一体的にあるいは取り外しが可能に取り付けられている、環状枠体▲２２▼の形状は飾り縁▲１６▼を基にして垂直外方に延び多種多彩の形状に作られる．図４においては環状枠体▲２２▼の内周面縁部▲２３▼の正面表側に向って飾り縁▲１６▼の円筒開口縁部▲２１▼を先口にして密着した状態で飾り縁▲１６▼の根もとまで挿入し一体的に取り付けられ形成されている、この場合、環状枠体▲２２▼の表側は飾り縁▲１６▼の縁の部分で支えられており裏側は接続部▲６▼との間で挟まれた状態で固定されるよう構成されている、上記の如く環状枠体▲２２▼には飾り縁▲１６▼が一体的なものに構成され用途が広く着脱が簡単で機能性に優れる等の効果があり飾り縁▲１６▼が取り付けられている場合環状枠体▲２２▼には締付嵌合を目的とした接続部▲６▼との構成を設けたものと同様請求する．
【００１４】〔発明の効果〕本発明は上記した通りガイドミラー本体となる円筒には雄ねじ、雌ねじの螺条をもつ一組みからなるもので端末の片方の開口縁部に取り付け、取り外しが簡単で着脱自在に設けられる．これに伴ない雄ねじ側の円筒内部には収納ケースが設けられ螺条をもつ開口縁部の着脱により、必要に応じて収納ケースは出し入れが自由にできる、これにより収納ケース内には鏡、記念の写真、絵等の他、自作の俳句や座右の銘等々、好みの想い出になる作品を納めて適宜に交換を楽しみ気分の転換と心を癒す効果があります
【００１５】更に本体円筒上と環状枠体との締付嵌合を目的とした接続部を双方に設ける、環状枠体との取り付け取り外しが自在にでき交換が簡単にできる．これに伴ない環状枠体には多様なデザインからなる造形が開発され室内インテリア向に合った優雅さを連想させると共に実用的に役立つ効果があります．デザインには地方の特色や地名、社名等の他、イラスト的内容も含め四季に応じた様々な調和のとれた環状枠体を造り、これにより更に収納ケース内の想い出の写真、絵俳句等と併せて飾る作品を選定すれば飾り映えが更に効果を高めます、また前記した接続部を設けたことにより本体と環状枠体とが区分でき同一形状毎に揃へることが可能となり保管や運搬に場所をとらずしかもコストの低滅をはかることができるとともに美観の向上に寄与するところが大きい．環状枠体は四季の移り変わりに合わせ取り替えて見るのも楽しみです．又ケース内の鏡から自作の作品に変へて気分転換に心を癒し更に想い出の作品で気持を和ませてくれる目的に構成され機能性をもつものです。
【図面の簡単な説明】
【図１】本発明の第１実施例であるガイドミラーの分解斜視図
【図２】本発明の第２実施例であるガイドミラー内部に設けられる収納ケースと拡大鏡を備えた固着手段の一例をあらわした分解斜視図．
【図３】本発明の第３実施例であるガイドミラー本体と環状枠体との固着手段に使用する飾り縁の分解斜視図
【図４】本発明の第４実施例であるガイドミラーに取り付けられた環状枠体と収納ケース内の作品例を表わした完成図．
【符号の説明】
１    対接面内側  １ａ  鉤型のスリット  １ｂ  突起部  ２    対接面外側  ３    雄ねじ  ４    雌ねじ  ５    前面開口縁部際  ６    接続部  ７    雌ねじ側の蓋  ８    雄ねじ側の円筒内部  ９    収納ケース１０    内部に少し出た縁１１    収納ケースの蓋１２    内周面をもつ縁１３    収納ケースの蓋の開口穴１４    拡大鏡１５    発泡スチロール１６    飾り縁１７    突起状の縁１８    飾り縁の外径１９    円筒内径２０    円筒外径２１    飾り縁の円筒開口縁部２２    環状枠体２３    環状枠体の内周面縁部２４    環状枠体の中空穴２５    収納ケース内の作品の一例２６    吊り金具
【図１】
2006087894.tif 000003
【図２】
2006087894.tif 000004
【図３】
2006087894.tif 000005
【図４】
2006087894.tif 000006